(57)【要約】【課題】本発明の目的は、顔料を含む非水系インクジェットインクをインクジェットインクとして使用するインクジェットプリンタに用いられ、洗浄液の洗浄性（画像濃度回復性、および、吐出ノズル数回復性、）に優れ、かつ、洗浄液がインクに混ざった場合の対インク安定性（沈殿物の発生抑制性、および、平均粒径変化抑制性）に優れたインクジェットプリンタ用洗浄液を提供することにある。【解決手段】顔料を含む非水系インクジェットインクをインクジェットインクとして使用するインクジェットプリンタに用いられるインクジェットプリンタ用洗浄液において、該インクジェットプリンタ用洗浄液が水を含有する有機溶媒溶液を有してなることを特徴とするインクジェットプリンタ用洗浄液。【選択図】なし【特許請求の範囲】
【請求項１】
顔料を含む非水系インクジェットインクをインクジェットインクとして使用するインクジェットプリンタに用いられるインクジェットプリンタ用洗浄液において、該インクジェットプリンタ用洗浄液が水を含有する有機溶媒溶液を有してなることを特徴とするインクジェットプリンタ用洗浄液。
【請求項２】
前記インクジェットプリンタ用洗浄液の水含有量が１５〜９０質量％であることを特徴とする請求項１に記載のインクジェットプリンタ用洗浄液。
【請求項３】
前記インクジェットプリンタ用洗浄液の水含有量が６０〜９０質量％であることを特徴とする請求項１に記載のインクジェットプリンタ用洗浄液。
【請求項４】
前記インクジェットプリンタ用洗浄液が、水溶性有機溶剤を含有することを特徴とする請求項１〜３のいずれか１項に記載のインクジェットプリンタ用洗浄液。
【発明の詳細な説明】
【技術分野】
【０００１】
本発明は、インクジェットプリンタ用洗浄液に関し、詳しくは、顔料を含む非水系インクジェットインクをインクジェットインクとして使用するインクジェットプリンタに用いられるインクジェットプリンタ用洗浄液に関する。
【背景技術】
【０００２】
インクジェットプリンタの用途として、普通紙に代表される吸収性媒体に対して印字するホーム向け、オフィス向けプリンタから、非吸収性媒体に印字するサイン向け大判プリンタまで様々な市場で展開されている。
【０００３】
この中でも、サイン用途においては、屋外での耐久性が求められることから、耐水性のある非吸収性基材へ印字可能な溶剤インク、ＵＶ硬化型インクが用いられている。また、色材としては画像堅牢性の観点から顔料が広く用いられおり、視覚的効果の強さを得るためインク中の顔料含有量は増加する傾向にある。
【０００４】
インクジェットプリンタはノズルから被記録材にインク滴を吐出させて画像形成を行うものである。このようなインクジェットプリンタにおいては、安定した吐出を行い、鮮明な色調で、かつ充分に高い濃度で記録できることが重要である。
【０００５】
インク不安定射出の原因として、ノズル近傍、インク流路でのインクの増粘、顔料の凝集、異物付着が考えられる。従来このようなインクの吐出不良に対して、定期的なインクのパージや吸引を行う技術、また、ノズル面の拭き取り技術（例えば、特許文献１、２参照）、インク流路の洗浄技術（例えば、特許文献３参照）が報告されている。そして、これらの技術においては、インクの洗浄液には、当該洗浄液が装置本体のインク容器中に流れ込むため、分散の破壊やインク物性の変化を考慮して、インク含有溶媒と類似の溶媒が用いられており、溶剤インクや紫外線硬化インクの様な非水系インクの洗浄液には、有機溶剤が広く使われている（例えば、特許文献４、５参照）。しかしながら、このような洗浄液では充分な安定吐出は得られていないという問題があった。
【先行技術文献】
【特許文献】
【０００６】
【特許文献１】特開昭５９−１１１８５６号公報
【特許文献２】特開平８−１９５３号公報
【特許文献３】特開平１０−３３７８８２号公報
【特許文献４】特開２００４−１８２８７５号公報
【特許文献５】特開２００７−２５３４０１号公報
【発明の概要】
【発明が解決しようとする課題】
【０００７】
本発明は、上記課題に鑑みなされたものであり、本発明の目的は、顔料を含む非水系インクジェットインクをインクジェットインクとして使用するインクジェットプリンタに用いられ、洗浄液の洗浄性（画像濃度回復性、および、吐出ノズル数回復性、）に優れ、かつ、洗浄液がインクに混ざった場合の対インク安定性（沈殿物の発生抑制性、および、平均粒径変化抑制性）に優れたインクジェットプリンタ用洗浄液を提供することにある。
【課題を解決するための手段】
【０００８】
１．顔料を含む非水系インクジェットインクをインクジェットインクとして使用するインクジェットプリンタに用いられるインクジェットプリンタ用洗浄液において、該インクジェットプリンタ用洗浄液が水を含有する有機溶媒溶液を有してなることを特徴とするインクジェットプリンタ用洗浄液。
【０００９】
２．前記インクジェットプリンタ用洗浄液の水含有量が１５〜９０質量％であることを特徴とする前記１に記載のインクジェットプリンタ用洗浄液。
【００１０】
３．前記インクジェットプリンタ用洗浄液の水含有量が６０〜９０質量％であることを特徴とする前記１に記載のインクジェットプリンタ用洗浄液。
【００１１】
４．前記インクジェットプリンタ用洗浄液が、水溶性有機溶剤を含有することを特徴とする前記１〜３のいずれか１項に記載のインクジェットプリンタ用洗浄液。
【００１２】
本発明者は種々検討を重ねた結果、非水系インクに適した洗浄液の発明に至った。
【００１３】
インクの増粘や顔料の凝集は有機溶剤主成分の洗浄液で洗浄が可能である。一方、異物付着の原因はインク流路構成部品内の異物、製造時の異物混入、インク内成分の析出が挙げられる。これに対しては、部品の洗浄、組み立て後の流路内洗浄、フィルタの設置等によりある程度までの対策は行うことが出来るが、インク内成分の析出に対しては洗浄する必要がある。しかしながら、上記の有機溶剤洗浄液での洗浄では、洗浄が不十分であり、結果として吐出不安定という重大な信頼性上の問題が発生する。
【００１４】
インク内成分の析出物には顔料凝集物以外にも、水溶性不純物があり、上記のような有機溶剤洗浄液での洗浄では洗浄しきれないのだと考え、そこで、水溶性不純物を溶解するため有機溶剤に水を含有させた洗浄液を用いることを考慮したところ、顔料含有の非水系インクにおいても吐出安定性の改善が得られることを見出し、本発明に至った次第である。
【００１５】
また、増粘したインク、凝集した顔料を溶解するために、本発明の洗浄液の水含有量は１５〜９０質量％であることが好ましい。また、インク（非水系インク）に洗浄液（水を含む洗浄液）が混ざった場合の、分散破壊、保存性劣化の観点から、水含有量は６０〜９０質量％であることがより好ましい。
【００１６】
また、水溶性溶剤を用いることで、水溶性不純物の洗浄性がより向上する。
【発明の効果】
【００１７】
本発明によれば、顔料を含む非水系インクジェットインクをインクジェットインクとして使用するインクジェットプリンタに用いられ、洗浄液の洗浄性（画像濃度回復性、および、吐出ノズル数回復性、）に優れ、かつ、洗浄液がインクに混ざった場合の対インク安定性（沈殿物の発生抑制性、および、平均粒径変化抑制性）に優れたインクジェットプリンタ用洗浄液を提供することができる。
【図面の簡単な説明】
【００１８】
【図１】ピエゾ型インクジェットノズルを備えたＵＶ硬化インク用のシリアル方式インクジェット記録装置を示す図。
【図２】ピエゾ型インクジェットノズルを備えた溶剤インク用のインクジェット記録装置を示す図。
【発明を実施するための形態】
【００１９】
以下、本発明を実施するための形態について説明するが、本発明はこれらに限定されない。
【００２０】
本発明は、顔料を含む非水系インクジェットインクをインクジェットインクとして使用するインクジェットプリンタに用いられるインクジェットプリンタ用洗浄液において、該インクジェットプリンタ用洗浄液が水を含有する有機溶媒溶液を有してなることを特徴とする。
【００２１】
本発明においては、特に、インクジェットプリンタ用洗浄液が水を含有する有機溶媒溶液を有してなることで、洗浄液の洗浄性（画像濃度回復性、および、吐出ノズル数回復性、）に優れ、かつ、洗浄液がインクに混ざった場合の対インク安定性（沈殿物の発生抑制性、および、平均粒径変化抑制性）に優れたインクジェットプリンタ用洗浄液が得られる。
【００２２】
以下、本発明を詳細に説明する。
【００２３】
《非水系インクジェットインク》
本発明において、非水系インクジェットインクとは、溶剤インク、紫外線硬化インクのことを言う。
【００２４】
溶剤インクとは、揮発性の溶剤を主溶剤とし、溶剤が基材を溶解、または膨潤することで基材に密着し画像形成するインクであり、シクロヘキサノンの様な、軟質ポリ塩化ビニルに対する溶解能が高い溶剤を主溶剤としたものから、近年、臭気を抑えるためにグリコールエーテルを主溶剤としたものまである。
【００２５】
紫外線硬化インクとは、紫外線により硬化することで画像形成するインクであり、カチオン重合するものと、ラジカル重合するものがある。
【００２６】
（顔料）
本発明における非水系インクジェットインクに含まれる顔料とは、従来公知のものであり、例えば、不溶性顔料、レーキ顔料等の有機顔料及び、カーボンブラック等の無機顔料をいう。
【００２７】
不溶性顔料としては、特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等の不溶性顔料が好ましい。
【００２８】
好ましく用いることのできる具体的顔料としては、以下の顔料が挙げられる。
【００２９】
マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１２、Ｃ．Ｉ．ピグメントレッド１５、Ｃ．Ｉ．ピグメントレッド１６、Ｃ．Ｉ．ピグメントレッド４８（Ｃａ）、Ｃ．Ｉ．ピグメントレッド４８（Ｍｎ）、Ｃ．Ｉ．ピグメントレッド４８：１、Ｃ．Ｉ．ピグメントレッド５３：１、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７７、Ｃ．Ｉ．ピグメントレッド１７８、Ｃ．Ｉ．ピグメントレッド１８４、Ｃ．Ｉ．ピグメントレッド２０２、Ｃ．Ｉ．ピグメントレッド２０９、Ｃ．Ｉ．ピグメントレッド２２２、Ｃ．Ｉ．ピグメントレッド２５４、Ｃ．Ｉ．ピグメントバイオレット１９、等が挙げられる。
【００３０】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３０、Ｃ．Ｉ．ピグメントイエロー１３８、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、Ｃ．Ｉ．ピグメントイエロー１８５、Ｃ．Ｉ．ピグメントイエロー２１３、Ｃ．Ｉ．ピグメントイエロー２１４、等が挙げられる。
【００３１】
グリーンまたはシアン用の顔料としては、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー２２、Ｃ．Ｉ．ピグメントブルー６０、Ｃ．Ｉ．ピグメントグリーン７、等が挙げられる。
【００３２】
以上の他にレッド、グリーン、ブルー、中間色が必要とされる場合には以下の顔料を単独あるいは併用して用いることが好ましく、例えば
Ｃ．Ｉ．Ｐｉｇｍｅｎｔ  Ｒｅｄ２０９、２２４、１７７、１９４；
Ｃ．Ｉ．Ｐｉｇｍｅｎｔ  Ｏｒａｎｇｅ４３；
Ｃ．Ｉ．Ｖａｔ  Ｖｉｏｌｅｔ３；
Ｃ．Ｉ．Ｐｉｇｍｅｎｔ  Ｖｉｏｌｅｔ１９、２３、３７；
Ｃ．Ｉ．Ｐｉｇｍｅｎｔ  Ｇｒｅｅｎ３６、７；
Ｃ．Ｉ．Ｐｉｇｍｅｎｔ  Ｂｌｕｅ１５：６；
等が用いられる。
【００３３】
また、ブラック用の顔料としては、例えば、Ｃ．Ｉ．ピグメントブラック１、Ｃ．Ｉ．ピグメントブラック６、Ｃ．Ｉ．ピグメントブラック７、等が挙げられる。
【００３４】
《インクジェットプリンタ用洗浄液》
本発明のインクジェットプリンタ用洗浄液は、水を含有する有機溶媒を有してなることを特徴とする。本発明において水を含有する有機溶媒溶液とは、２０℃において水を分離することなく溶解して含有している有機溶媒溶液のことを意味する。
【００３５】
（水）
水は、本発明のインクジェットプリンタ洗浄液の中心となる媒体であり、好ましい水はイオン性の不純物を極力低減することを目的として、イオン交換水、限界ろ過水、逆浸透水、蒸留水等の純水、また超純水を用いることができる。また、紫外線照射、過酸化水素添加等により滅菌した水を用いると、洗浄液を長期保存する際にカビやバクテリアの発生を防止することができるので好ましい。
【００３６】
本発明の洗浄液の水含有量は１５〜９０質量％であることが、増粘したインク、凝集した顔料を溶解する観点から好ましい。また、水含有量は６０〜９０質量％であることが、インクに洗浄液が混ざった場合の、分散破壊、保存性劣化、を抑制する観点からより好ましい。
【００３７】
（有機溶剤）
本発明の洗浄液に用いられる有機溶剤としては、本発明に係る水を含有する有機溶媒溶液、即ち、２０℃において水を分離することなく溶解して含有している有機溶媒溶液、となる有機溶剤であればよく、単一溶剤であっても、或いは、混合溶剤であっても特に限定されるものではない。例えば、水溶性有機溶媒からそれ以外の非水溶性有機溶媒まで、適宜用いることができる。中でも、水溶性有機溶媒が水溶性不純物の洗浄性の観点から好ましい。
【００３８】
本発明において、本発明に係る水溶性有機溶媒とは、有機溶媒１００ｇ中に水１ｇ以上を２０℃において分離することなく溶解して含有していることができる有機溶媒のことを意味する。
【００３９】
本発明において、有機溶媒１００ｇ中に、２０℃において分離することなく溶解して含有している水の質量の測定方法としては、有機溶媒１００ｇ中に水（溶解する水の量よりも５ｇ多い質量）を添加し、２０℃にて、３０分間、攪拌混合し、静置（遠心分離を併用しても良い。）後、分液した水を除き、水を溶解して含有している有機溶媒の質量Ｗ（ｇ）を計量し、下式
Ｗ（ｇ）−１００（ｇ）
から、有機溶媒１００ｇ中に、２０℃において分離することなく溶解して含有している水の質量Ｗ（ｇ）を求めることとする。本発明において、Ｗ（ｇ）が１ｇ以上の場合に本発明に係る水溶性有機溶媒であると判定する。
【００４０】
以下に本発明の洗浄液に用いられる有機溶剤の例を挙げるが、本発明はこれらに限定されない。
【００４１】
グリコールエーテル類（例えば、エチレングリコールモノエチル、エチレングリコールモノブチル、ジエチレングリコールモノブチル、トリエチレングリコールモノブチル、プロピレングリコールモノプロピル、ジプロピレングリコールモノメチル、トリプロピレングリコールモノメチル、ジエチレングリコールジメチルエーテル、等）；アルコール類（例えば、メタノール、エタノール、プロパノール、イソプロパノール、ブタノール、イソブタノール、セカンダリーブタノール、ターシャリーブタノール等）；多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）；アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）；アミド類（例えば、ホルムアミド、Ｎ，Ｎ−ジメチルホルムアミド、Ｎ−メチルアセトアミド、Ｎ，Ｎ−ジメチルアセトアミド、Ｎ，Ｎ−ジエチルアセトアミド、β−ラクタム、δ−ラクタム、ε−カプロラクタム、ラウロラクタム、等）；複素環類（例えば、２−ピロリドン、Ｎ−メチル−２−ピロリドン、シクロヘキシルピロリドン、２−オキサゾリドン、１，３−ジメチル−２−イミダゾリジノン、ピリジン、等）；スルホキシド類（例えば、ジメチルスルホキシド等）；エステル類（例えば、酢酸エチル、酢酸ブチル、酢酸アミル、酢酸イソアミル、酢酸メチルイソアミル、酢酸第２ヘキシル、酢酸−２−エチル−ブチル、酢酸−２−エチルヘキシル、酢酸シクロヘキシル、酢酸メチルシクロヘキシル、酢酸ベンジル、プロピオン酸ブチル、プロピオン酸イソアミル、酪酸ブチル、酪酸イソブチル、酪酸イソアミル、乳酸メチル、乳酸エチル、乳酸ブチル、乳酸アミル、乳酸イソアミル、等）；ケトン類（例えば、アセトン、メチルエチルケトン、シクロヘキサノン、チルアミルケトン、メチル−ｎ−ヘキシルケトン、ジ−ｎ−プロピルケトン、ジアセトンアルコール、アセトニルアセトン、イソホロン、ホロン、シクロヘキサノン、メチルシクロヘキサノン、アセトフェノン等）；ラクトン類（例えば、炭素数３〜６個のラクトンが挙げられ、γ−ブチロラクトン、α−メチル−γ−ブチロラクトン、γ−バレロラクトン、γ−カプロラクトン、γ−ラウロラクトン、δ−バレロラクトン、ヘキサノラクトン、等）；エーテル類（例えば、ジオキサン、モルホリン、等）；芳香族炭化水素類（例えば、トルエン、ベンジルアルコール、等）；脂肪族炭化水素類（例えば、シクロヘキサン、１，２−ジクロロエタン、ニトロエタン、等）；等が挙げられる。
【００４２】
また、本発明の洗浄液には、界面活性剤、消泡剤を添加しても良い。界面活性剤を洗浄液に添加することによって洗浄液の表面エネルギーを調整することができ、インクジェットプリンタに対する濡れ性を改善することができる。また、消泡剤を洗浄液に添加することによって洗浄液に泡が発生することを防止することができる。
【００４３】
《インクジェットプリンタの洗浄方法》
次にインクジェットプリンタの洗浄方法について説明する。
【００４４】
本発明の洗浄液を用いてインクジェットプリンタ又は一部の部品を洗浄する。洗浄方法としては、本発明の洗浄液をインクジェットプリンタのインク経路に循環させる方法、本発明の洗浄液で濡らした生地やインクジェットブレードでインクジェットプリンタ又はその部品を拭く方法、本発明の洗浄液をインクジェットプリンタ又はその部品に浸漬する方法、本発明の洗浄液をインクジェットプリンタ又はその部品に塗布した後に吸収剤をインクジェットプリンタ又はその部材に接触させ、洗浄液を吸収剤で吸い取る方法、本発明の洗浄液をインクジェットプリンタ又はその部品に塗布した後に、インクジェットプリンタ又はその部品に対してエア吸引、エア給気などを行って洗浄液を除去する方法が挙げられる。なかでも、インク経路への循環が効果的である。インク循環での洗浄効果を上げるためには、循環回数を多くする、印字するときのインク温度、供給圧力などの条件よりも洗浄液の温度及び供給圧力を高くすることが好ましい。このときの温度は４０〜８０℃が好ましい。
【実施例】
【００４５】
以下、実施例を挙げて本発明を詳細に説明するが、本発明はこれらに限定されない。尚、特に断りない限り、実施例中の「部」あるいは「％」の表示は、「質量部」あるいは「質量％」を表す。
【００４６】
実施例１
［洗浄液の調製］
表１、表２、表３、に示す組成で洗浄液１０１〜１２３、２０１〜２２４、３０１〜３２４、を調製した。各洗浄液は充分攪拌したのち、１μｍ孔径のメンブランフィルターを用いてろ過を行って、表１、表２、表３、に記載の洗浄液を調製した。
【００４７】
［溶剤インク、ＵＶ硬化性ラジカルインク、およびＵＶ硬化性カチオンインクの調製］
《溶剤インクの調製》
＜分散液ａの調製＞
（イエロー顔料分散液ａの調製）
Ｐｉｇｍｅｎｔ  Ｙｅｌｌｏｗ  １５０（ＬＡＮＸＥＳＳ社製、Ｅ４ＧＮ−ＧＴ  ＣＨ２００１５）                                                          １２部
ソルスパーズ２４０００（アイ・シー・アイ・ジャパン社製）              ５部
Ｎ−メチル−２−ピロリドン                                            ３部
ジエチレングリコールジエチルエーテル                                ８２部
上記を混合し、直径０．３ｍｍのジルコニアビーズ２００ｇと共にガラス瓶に入れ密栓し、ペイントシェーカーにて４時間分散処理した後、ジルコニアビーズを除去し、イエロー顔料分散液を調製した。
【００４８】
（マゼンタ顔料分散液ａの調製）
上記イエロー顔料分散液ａの調製において、顔料をＰｉｇｍｅｎｔ  Ｙｅｌｌｏｗ  １５０に代えて、Ｐｉｇｍｅｎｔ  Ｒｅｄ  １２２（大日精化社製  ＣＦＲ−３２１）を用いた以外は同様にしてマゼンタ顔料分散液ａを調製した。
【００４９】
（シアン顔料分散液ａの調製）
上記イエロー顔料分散液ａの調製において、顔料をＰｉｇｍｅｎｔ  Ｙｅｌｌｏｗ  １５０に代えて、Ｐｉｇｍｅｎｔ  Ｂｌｕｅ  １５：４（大日精化社製  ブルーＮｏ．３２）を用いた以外は同様にしてシアン顔料分散液ａを調製した。
【００５０】
（ブラック顔料分散液ａの調製）
上記イエロー顔料分散液ａの調製において、顔料をＰｉｇｍｅｎｔ  Ｙｅｌｌｏｗ  １５０に代えて、Ｐｉｇｍｅｎｔ  Ｂｌａｃｋ  ７（三菱化学社製  ＃５２）を用いた以外は同様にしてブラック顔料分散液ａを調製した。
【００５１】
＜インクａの調製＞
（イエローインクａの調製）
ジメチルスルホキシド                                                  １部
ジエチレングリコールジエチルエーテル                                ６９部
エチレングリコールジアセテート                                      ２０部
塩化ビニル−酢酸ビニル系共重合物（ＶＹＨＤ、ダウケミカルズ社製）    １０部
を混合し、十分に溶解したことを確認した後、この混合溶液５０部を、上記調製したイエロー顔料分散液ａ  ５０部に攪拌しながら少しずつ添加し、１５分間攪拌した後、ロキテクノ社製ＰＰ３μｍディスクフィルターでろ過を行い、イエローインクａを調製した。
【００５２】
（マゼンタインクａの調製）
上記イエローインクａの調製において、イエロー顔料分散液ａに代えて、マゼンタ顔料分散液ａを用いた以外は同様にして、マゼンタインクａを調製した。
【００５３】
（シアンインクａの調製）
上記イエローインクａの調製において、イエロー顔料分散液ａに代えて、シアン顔料分散液ａを用いた以外は同様にして、シアンインクａを調製した。
【００５４】
（ブラックインクａの調製）
上記イエローインクａの調製において、イエロー顔料分散液ａに代えて、ブラック顔料分散液ａを用いた以外は同様にして、ブラックインクａを調製した。
【００５５】
《ＵＶ硬化性ラジカルインクの調製》
＜分散液の調製＞
（イエロー顔料分散液ｂの調製）
下記の各化合物をステンレスビーカーに入れ、６５℃のホットプレート上で加熱しながら１時間加熱撹拌溶解した。
【００５６】
ＰＢ８２１（味の素ファインテクノ社製分散剤）                          ９部
テトラエチレングリコールジアクリレート                              ７１部
室温まで冷却した後、これにＰｉｇｍｅｎｔ  Ｙｅｌｌｏｗ  １５０を２０部加えて、直径０．３ｍｍのジルコニアビーズ２００ｇと共にガラス瓶に入れ密栓し、ペイントシェーカーにて４時間分散処理した後、ジルコニアビーズを除去し、イエロー顔料分散液ｂを調製した。
【００５７】
（マゼンタ顔料分散液ｂの調製）
上記イエロー顔料分散液ｂの調製において、顔料をＰｉｇｍｅｎｔ  Ｙｅｌｌｏｗ  １５０に代えて、Ｐｉｇｍｅｎｔ  Ｒｅｄ  １２２を用いた以外は同様にしてマゼンタ顔料分散液ｂを調製した。
【００５８】
（シアン顔料分散液ｂの調製）
上記イエロー顔料分散液ｂの調製において、顔料をＰｉｇｍｅｎｔ  Ｙｅｌｌｏｗ  １５０に代えて、Ｐｉｇｍｅｎｔ  Ｂｌｕｅ  １５：４を用いた以外は同様にしてマゼンタ顔料分散液ｂを調製した。
【００５９】
（ブラック顔料分散液ｂの調製）
上記イエロー顔料分散液ｂの調製において、顔料をＰｉｇｍｅｎｔ  Ｙｅｌｌｏｗ  １５０に代えて、Ｐｉｇｍｅｎｔ  Ｂｌａｃｋ  ７を用いた以外は同様にしてマゼンタ顔料分散液ｂを調製した。
【００６０】
＜インクの調製＞
（イエローインクｂの調製）
ラウリルアクリレート（単官能）                                  １５．０部
テトラエチレングリコールジアクリレート（二官能）                ４２．５部
トリメチロールプロパントリアクリレート（三官能）                ２０．０部
イルガキュア１８４（チバ・ジャパン社製）                          ２．５部
イルガキュア９０７（チバ・ジャパン社製）                          ２．５部
【００６１】
【化１】
2010260296.tif 000002
【００６２】
を混合し、十分に溶解したことを確認した後、この混合溶液を上記調製したイエロー顔料分散液ｂ  １７．５部に攪拌しながら少しずつ添加し、１５分間攪拌した後、ロキテクノ社製ＰＰ３μｍディスクフィルターでろ過し、イエローインクｂを調製した。
【００６３】
（マゼンタインクｂの調製）
上記イエローインクｂの調製において、イエロー顔料分散液ｂに代えて、マゼンタ顔料分散液ｂを用いた以外は同様にして、マゼンタインクｂを調製した。
【００６４】
（シアンインクｂの調製）
上記イエローインクｂの調製において、イエロー顔料分散液ｂに代えて、シアン顔料分散液ｂを用いた以外は同様にして、シアンインクｂを調製した。
【００６５】
（ブラックインクｂの調製）
上記イエローインクｂの調製において、イエロー顔料分散液ｂに代えて、ブラック顔料分散液ｂを用いた以外は同様にして、ブラックインクｂを調製した。
【００６６】
《ＵＶ硬化性カチオンインクの調製》
＜分散液の調製＞
（イエロー顔料分散液ｃの調製）
下記の各化合物をステンレスビーカーに入れ、６５℃のホットプレート上で加熱しながら１時間加熱撹拌溶解した。
【００６７】
ＰＢ８２１（味の素ファインテクノ社製分散剤）                          ９部
ＯＸＴ−２２１（東亞合成社製オキセタン化合物）                      ７１部
室温まで冷却した後、これにＰｉｇｍｅｎｔ  Ｙｅｌｌｏｗ  １８０（大日精化社製  Ｅ４ＧＮ−ＧＴ）を２０部加えて、直径０．３ｍｍのジルコニアビーズ２００ｇと共にガラス瓶に入れ密栓し、ペイントシェーカーにて４時間分散処理した後、ジルコニアビーズを除去し、イエロー顔料分散液ｃを調製した。
【００６８】
〔マゼンタ顔料分散液ｃの調製〕
上記イエロー顔料分散液ｃの調製において、顔料をＰｉｇｍｅｎｔ  Ｙｅｌｌｏｗ  １８０に代えて、Ｐｉｇｍｅｎｔ  Ｒｅｄ  １２２を用いた以外は同様にしてマゼンタ顔料分散液ｃを調製した。
【００６９】
（シアン顔料分散液ｃの調製）
上記イエロー顔料分散液ｃの調製において、顔料をＰｉｇｍｅｎｔ  Ｙｅｌｌｏｗ  １８０に代えて、Ｐｉｇｍｅｎｔ  Ｂｌｕｅ  １５：４を用いた以外は同様にしてシアン顔料分散液ｃを調製した。
【００７０】
（ブラック顔料分散液ｃの調製）
上記イエロー顔料分散液ｃの調製において、顔料をＰｉｇｍｅｎｔ  Ｙｅｌｌｏｗ  １８０に代えて、Ｐｉｇｍｅｎｔ  Ｂｌａｃｋ  ７を用いた以外は同様にしてブラック顔料分散液ｃを調製した。
【００７１】
＜インクの調製＞
（イエローインクｃの調製）
オキセタンＯＸＴ−２２１（東亞合成社製オキセタン化合物）      ４７．４５部
オキセタンＯＸＴ−２１２（東亞合成社製オキセタン化合物）              ５部
オキセタンＯＸＴ−１０１（東亞合成社製オキセタン化合物）              ５部
脂環式エポキシ化合物                                                ２０部
光酸発生剤                                                        ２．５部
重合禁止剤（トリイソプロパノール）                                ０．１部
【００７２】
【化２】
2010260296.tif 000003
【００７３】
を混合し、十分に溶解したことを確認した後、この混合溶液を上記調製したイエロー顔料分散液ｃ  ２０部に攪拌しながら少しずつ添加し、１５分間攪拌した後、ロキテクノ社製ＰＰ３μｍディスクフィルターでろ過を行い、イエローインクｃを調製した。
【００７４】
（マゼンタインクｃの調製）
上記イエローインクｃの調製において、イエロー顔料分散液ｃに代えて、マゼンタ顔料分散液ｃを用いた以外は同様にして、マゼンタインクｃを調製した。
【００７５】
（シアンインクｃの調製）
上記イエローインクｃの調製において、イエロー顔料分散液ｃに代えて、シアン顔料分散液ｃを用いた以外は同様にして、シアンインクｃを調製した。
【００７６】
（ブラックインクｃの調製）
上記イエローインクｃの調製において、イエロー顔料分散液ｃに代えて、ブラック顔料分散液ｃを用いた以外は同様にして、ブラックインクｃを調製した。
【００７７】
［インクジェットプリンタ装置］
《溶剤インクを用いるインクジェットプリンタ装置》
ピエゾ型インクジェットノズルを備えた図２に記載の構成からなるインクジェット記録装置−１に、上記で調製した各インクを装填し、画像形成を行った。
【００７８】
記録装置は各搬送ローラ７の回転に伴い、記録媒体２が搬送方向Ｂに沿って搬送されるようになっている。筐体の内部におけるプラテン６の上方には、記録媒体２の記録面に画像を記録する画像記録部（キャリッジ）４が設置されており、画像記録部４は搬送方向Ｂと直行する方向Ａに沿って往復移動する。
【００７９】
なお、各インクの粘度にあわせてヘッド部を加温し、２〜１５ｐｌの液滴量のマルチサイズドットを７２０×７２０ｄｐｉ（ｄｐｉとは、２．５４ｃｍ当たりのドット数を表す。）の解像度で吐出できるよう駆動して、インクを連続吐出した。
【００８０】
また、記録材料は面ヒーターにより４０℃に加温した。
【００８１】
なお、インクジェット画像の形成は、上記方法に従って、２５℃、５０％ＲＨの環境下で印字を行った。
【００８２】
《ＵＶ硬化インクを用いるインクジェットプリンタ装置》
ピエゾ型インクジェットノズルを備えた図１に記載の構成からなるシリアル方式インクジェット記録装置−２に、上記で調製した各インクを装填し、画像形成を行った。
【００８３】
記録装置は各搬送ローラ７の回転に伴い、記録媒体２が搬送方向Ｂに沿って搬送されるようになっている。筐体の内部におけるプラテン６の上方には、記録媒体２の記録面に画像を記録する画像記録部（キャリッジ）４が設置されており、画像記録部４は搬送方向Ｂと直行する方向Ａに沿って往復移動する。走査方向Ａにおける両端には、記録媒体２に着弾したインクに３００ｍＪ／ｃｍ２の紫外線を照射し、瞬時（着弾後０．５秒未満）に硬化させる光源が設置されており、キャリッジの往復移動によって移動可能となる。
【００８４】
各インクの粘度にあわせてヘッド部を加温し、２〜１５ｐｌの液滴量のマルチサイズドットを７２０×７２０ｄｐｉ（ｄｐｉとは、２．５４ｃｍ当たりのドット数を表す。）の解像度で吐出できるよう駆動して、インクを連続吐出した。
【００８５】
また、記録材料は面ヒーターにより４０℃に加温した。
【００８６】
なお、インクジェット画像の形成は、上記方法に従って、２５℃、５０％ＲＨの環境下で印字を行った。
【００８７】
［評価方法］
《洗浄液の洗浄性》
洗浄液の洗浄性は、下記、画像濃度回復性、および、吐出ノズル数回復性、によって評価する。
【００８８】
＜画像濃度回復性＞
これらのインクをインクジェット記録装置に装着して、ポリ塩化ビニル製の記録媒体であるＪＴ５９２９ＰＭ（Ｍａｃｔａｃ社製）に１０ｃｍ×１０ｃｍのベタ画像を記録した。その後１２時間／日、３０日稼動させた。
【００８９】
後、洗浄液を各１０ｍｌずつ使用してインク流路を洗浄した。洗浄後、インクを再度充填させてから記録媒体ＪＴ５９２９ＰＭ（Ｍａｃｔａｃ社製）に１０ｃｍ×１０ｃｍのベタ画像印刷を行った。
【００９０】
画像濃度はエックスライト９００（日本平版機材株式会社社製）を用いて測定し、連続射出前の画像濃度を１００％としたときの、洗浄後の画像濃度比を百分率で求め、下記評価基準に基づいて画像濃度回復性を評価した。画像濃度回復性が優れるほど洗浄液の洗浄性が優れている。
◎：濃度比９１〜１００％
○：濃度比８１〜９０％
△：濃度比７１〜８０％
×：濃度比７０％以下
＜吐出ノズル数回復性＞
上記＜画像濃度回復性＞の測定時において、画像印字時のインク滴吐出ノズル数をマイクロスコープ（倍率：２００倍）で観測することで測定し、洗浄後の画像印字時のインク滴吐出ノズル数／連続射出前の画像印字時のインク滴吐出ノズル数の百分率を求め、下記評価基準に基づいて吐出ノズル数回復性を評価した。吐出ノズル数回復性が優れるほど洗浄液の洗浄性が優れている。
◎：吐出ノズル比９１〜１００％
○：吐出ノズル比８１〜９０％
△：吐出ノズル比７１〜８０％
×：吐出ノズル比７０％以下
《洗浄液−インク混合時の安定性》
洗浄液がインクに混ざった場合の対インク安定性について、下記、沈殿物の発生抑制性、および、平均粒径変化抑制性、により洗浄液−インク混合時の安定性を評価する。
【００９１】
＜沈殿物の発生抑制性＞
インクと洗浄液を各５ｍｌずつ混合し、ガラス瓶に入れ密閉し、沈殿物の発生を目視で沈殿物が発生していないかどうかを確認する。
【００９２】
＜平均粒径変化抑制性＞
インクと洗浄液を各５ｍｌずつ混合し、遮光性容器で７０℃で１週間保存の推進処理を行った後、下記のようにして平均粒径値を求め、保存前の試料の平均粒径値との差から平均粒径変化を求め、下記評価基準に基づいて平均粒径変化抑制性を評価した。平均粒径変化抑制性が優れるほど洗浄液のインクに対する混合時の保存安定性が優れている。
【００９３】
尚、平均粒径値は顔料濃度で約０．５質量％に希釈した後、ｍａｌｖｅｒｎ社製の光子相関法ゼータサイザー１０００ＨＳで測定した。
○：粒径変化５０ｎｍ未満
△：粒径変化５０ｎｍ以上１００未満
×：粒径変化１００ｎｍ以上
結果を表１〜表３に示す。
【００９４】
【表１】
2010260296.tif 000004
【００９５】
【表２】
2010260296.tif 000005
【００９６】
【表３】
2010260296.tif 000006
【００９７】
表１、表２、表３から、本発明の場合には、顔料を含む非水系インクジェットインクを使用するインクジェットプリンタに用いられるインクジェットプリンタ用洗浄液として、洗浄液の洗浄性（画像濃度回復性、および、吐出ノズル数回復性、）に優れ、かつ、洗浄液がインクに混ざった場合の対インク安定性（沈殿物の発生抑制性、および、平均粒径変化抑制性）に優れていることがわかる。
【００９８】
また、インクジェットプリンタ用洗浄液の水含有量が１５〜９０質量％であることが好ましく、６０〜９０質量％であることがより好ましく、７０質量％であることが特に好ましいことがわかる。
【符号の説明】
【００９９】
１  インクジェット記録装置
２  記録媒体
３  記録ヘッド
３Ｙ、３Ｍ、３Ｃ、３Ｋ  記録ヘッド
４  キャリッジ
５  ガイド部材
６  プラテン
７  記録媒体搬送装置
Ｎ  ノズル
【図１】
2010260296.tif 000007
【図２】
2010260296.tif 000008